(57)【要約】【課題】一方側縦材と他方側縦材とを連結して構成した方立において水密性を向上できる方立を提供すること。【解決手段】見込面において上端から下端まで長手方向に連続して延びて形成される一方側ガラス溝３１２ａを有する一方側縦材３１と、見込面において上端から下端まで長手方向に連続して延びて形成される他方側ガラス溝３２２ａを有する他方側縦材３２と、一方側縦材３１における一方側ガラス溝３１２ａの裏面と他方側縦材３２における他方側ガラス溝３２２ａの裏面が対向した状態で一方側縦材３１と他方側縦材３２とを嵌合して連結する嵌合部３００と、一方側ガラス溝３１２ａの裏面と他方側ガラス溝３２２ａの裏面との間に配置され、一方側縦材３１及び他方側縦材３２の長手方向に連続して延びて形成される止水部材１０と、を備える方立２５であって、嵌合部３００は、一方側ガラス溝３１２ａ及び他方側ガラス溝３２２ａよりも屋外側に配置される。【選択図】図３
2018135674.tif 000002
【特許請求の範囲】
【請求項１】
見込面において上端から下端まで長手方向に連続して延びて形成される一方側ガラス溝を有する一方側縦材と、
見込面において上端から下端まで長手方向に連続して延びて形成される他方側ガラス溝を有する他方側縦材と、
前記一方側縦材における前記一方側ガラス溝の裏面と前記他方側縦材における前記他方側ガラス溝の裏面が対向した状態で前記一方側縦材と前記他方側縦材とを嵌合して連結する嵌合部と、
前記一方側ガラス溝の裏面と前記他方側ガラス溝の裏面との間に配置され、前記一方側縦材及び前記他方側縦材の長手方向に連続して延びて形成される止水部材と、を備える方立であって、
前記嵌合部は、前記一方側ガラス溝及び前記他方側ガラス溝よりも屋外側に配置される方立。
【請求項２】
前記一方側縦材は、前記一方側縦材における前記一方側ガラス溝が形成された部分に形成される一方側ビス孔を有し、
前記他方側縦材は、前記他方側縦材における前記他方側ガラス溝が形成された部分に前記一方側ビス孔に対向して形成される他方側ビス孔を有し、
前記一方側ビス孔と前記他方側ビス孔とに挿通された状態で、前記止水部材を介して、前記一方側縦材及び前記他方側縦材を締結するビス部材を更に備える請求項１に記載の方立。
【請求項３】
前記一方側縦材における前記一方側ガラス溝の裏面と前記他方側縦材における前記他方側ガラス溝の裏面とが対向して配置された状態において、前記一方側ガラス溝の裏面と前記他方側ガラス溝の裏面との間の空間を、前記止水部材が収容される収容空間として区画する区画部を備える請求項１又は２に記載の方立。
【発明の詳細な説明】
【技術分野】
【０００１】
本発明は、方立に関する。
【背景技術】
【０００２】
従来、一方側分割方立（一方側縦材）と、他方側分割方立（他方側縦材）と、を突き合わせて連結して構成した方立が知られている（例えば、特許文献１参照）。
【先行技術文献】
【特許文献】
【０００３】
【特許文献１】特開２０１２−４６９０７号公報
【発明の概要】
【発明が解決しようとする課題】
【０００４】
特許文献１に記載の方立において、一方側分割方立（縦材）と他方側分割方立（縦材）との嵌合部には、止水部材が取り付けられる。そのため、方立において、屋外側に配置された嵌合部に取り付けられた止水部材が破損した場合に、屋内外の気圧差により、屋外側から屋内側に水が引きこまれる虞がある。よって、一方側分割方立（一方側縦材）と他方側分割方立（他方側縦材）とを連結して構成した方立において、水密性を向上できることが望まれる。
【０００５】
本発明は、一方側縦材と他方側縦材とを連結して構成した方立において水密性を向上できる方立を提供することを目的とする。
【課題を解決するための手段】
【０００６】
本発明は、見込面において上端から下端まで長手方向に連続して延びて形成される一方側ガラス溝（例えば、後述のガラス溝３１２ａ）を有する一方側縦材（例えば、後述の第１方立部材３１）と、見込面において上端から下端まで長手方向に連続して延びて形成される他方側ガラス溝（例えば、後述のガラス溝３２２ａ）を有する他方側縦材（例えば、後述の第２方立部材３２）と、前記一方側縦材における前記一方側ガラス溝の裏面と前記他方側縦材における前記他方側ガラス溝の裏面が対向した状態で前記一方側縦材と前記他方側縦材とを嵌合して連結する嵌合部（例えば、後述の嵌合部３００）と、前記一方側ガラス溝の裏面と前記他方側ガラス溝の裏面との間に配置され、前記一方側縦材及び前記他方側縦材の長手方向に連続して延びて形成される止水部材と、を備える方立（例えば、後述の方立２５）であって、前記嵌合部は、前記一方側ガラス溝及び前記他方側ガラス溝よりも屋外側に配置される方立に関する。
【０００７】
また、前記一方側縦材は、前記一方側縦材における前記一方側ガラス溝が形成された部分に形成される一方側ビス孔を有し、前記他方側縦材は、前記他方側縦材における前記他方側ガラス溝が形成された部分に前記一方側ビス孔（例えば、後述の第１方立側ビス孔３１２ｈ）に対向して形成される他方側ビス孔（例えば、後述の第２方立側ビス孔３２２ｇ）を有し、前記一方側ビス孔と前記他方側ビス孔とに挿通された状態で、前記止水部材を介して、前記一方側縦材及び前記他方側縦材を締結するビス部材（例えば、後述のビス７１）を更に備えることが好ましい。
【０００８】
また、前記一方側縦材における前記一方側ガラス溝の裏面と前記他方側縦材における前記他方側ガラス溝の裏面とが対向して配置された状態において、前記一方側ガラス溝の裏面と前記他方側ガラス溝の裏面との間の空間を、前記止水部材が収容される収容空間として区画する区画部（例えば、後述の区画部１００）を備えることが好ましい。
【発明の効果】
【０００９】
本発明によれば、一方側縦材と他方側縦材とを連結して構成した方立において水密性を向上できる方立を提供することができる。
【図面の簡単な説明】
【００１０】
【図１】本発明の一実施形態に係るサッシユニットを屋外側から見た姿図である。
【図２】本実施形態のサッシユニットの縦断面図であって、図１のＡ−Ａ線断面図である。
【図３】本実施形態のサッシユニットの横断面図であって、図１のＢ−Ｂ線断面図である。
【図４】本実施形態の排水構造体が、方立（縦材）のガラス溝に収納された状態を示す斜視図である。
【図５】方立（縦材）のガラス溝に排水構造体を収納する場合において、方立（縦材）、排水構造体及び巾木部（横材）を分解した状態を示す分解斜視図である。
【図６】方立（縦材）のガラス溝に収納された排水構造体を上方から視た図である。
【図７】方立（縦材）のガラス溝に排水構造体を収納する場合において、方立（縦材）、排水構造体及び巾木部（横材）を分解した状態を上方から視た図である。
【図８】本実施形態の排水構造体を示す図であって、（ａ）は平面図であり、（ｂ）は基端面部側から見た側面図である。
【図９】方立（縦材）のガラス溝に収納された排水構造体の縦断面図である。
【図１０】方立（縦材）のガラス溝にカバー部材を取り付けた状態を示す断面図である。
【発明を実施するための形態】
【００１１】
以下、本発明の一実施形態について、図面を参照しながら説明する。なお、本明細書において、「見付方向」とは、建物に形成された開口に納められたサッシユニットの横枠（上枠、無目、巾木部等）の長手方向（即ち、ガラスの面内方向）を意味し、「見込方向」とは、屋内外方向（即ち、奥行き方向）を意味する。
【００１２】
図１は、本発明の一実施形態に係るサッシユニット１を屋外側から見た姿図である。図２は、本実施形態のサッシユニット１の縦断面図であって、図１のＡ−Ａ線断面図である。図３は、本実施形態のサッシユニット１の横断面図であって、図１のＢ−Ｂ線断面図である。なお、図２において、紙面左側が屋外側であり、右側が屋内側である。また、図３において紙面奥側が屋内側であり、手前側が屋外側である。
【００１３】
図１に示すように、サッシユニット１は、例えば、店舗等の建築物に用いられるものであり、建築物に形成された開口に取り付けられる枠体２を備える枠ユニットである。
【００１４】
枠体２は、横材としての上枠２１と、横材としての巾木部（下枠）２２と、左右両側の縦材としての縦枠２３，２４と、縦材としての方立２５と、横材としての無目２６と、を備える。枠体２は、全体としては矩形に枠組みされている。上枠２１、巾木部２２、縦枠２３，２４、方立２５及び無目２６は、例えば、アルミニウムを押し出し成型することによって形成することができる。枠体２の内側の空間は、方立２５によって見付方向に複数の開口部に区画されるとともに、無目２６によって複数の開口部のそれぞれが上下方向に区画される。区画された上段の開口部にはＦＩＸ窓６１が納められ、下段の開口部にはＦＩＸ窓６２が納められる。
【００１５】
図２に示すように、上枠２１は、屋内側に配置される上方に開放された断面略Ｃ字状である上枠本体部２１１と、上枠本体部２１１から屋外側に延設され下方側から上方側に窪む凹状部分を有する上枠ガラス保持部２１２と、を備える。
【００１６】
上枠本体部２１１は、内側の下部に形成されかつ上枠２１の長手方向に延びる溝部２１１ａと、内側の上部に形成されかつ上枠２１の長手方向に延びる一対の爪部２１１ｂ、２１１ｂと、を備える。
溝部２１１ａは、上枠本体部２１１の内側の下部に配置される。溝部２１１ａは、見付方向の縦枠２３，２４側から縦枠２３，２４を連結するため、又は、方立２５側から方立２５を連結するためのビス（図示せず）が差し込まれるネジ受けとなる。
一対の爪部２１１ｂ，２１１ｂは、上枠本体部２１１の上部の開放端のそれぞれにおいて内側に突出して折れ曲がる。一対の爪部２１１ｂ，２１１ｂには、アンカー２１３が差し込まれる。一対の爪部２１１ｂ，２１１ｂに差し込まれたアンカー２１３は、ビス等の固定具により建物側に締結される。これにより、上枠２１は、建物側に支持される。
【００１７】
上枠ガラス保持部２１２には、ＦＩＸ窓６１を構成するガラス６１ａの上端部を保持するガラス溝２１２ａが形成される。また、上枠ガラス保持部２１２は、内側において見込方向の略中央を上下方向につなぐ部分に配置されかつ上枠２１の長手方向に延びる溝部２１２ｂを有する。溝部２１２ｂは、後述する排水構造体８を縦枠２３，２４、方立２５のガラス溝に固定する際に、縦枠２３，２４、方立２５と、排水構造体８と、上枠２１と、を連結するためのビス（図示せず）が差し込まれるネジ受けとなる。
【００１８】
無目２６は、屋内側に配置されかつ中空部を備えるホロー構造である無目本体部２６１と、無目本体部２６１から屋外側に延設される無目ガラス保持部２６２と、無目ガラス保持部２６２に係止されるガラス保持部材２６３と、を備える。
【００１９】
無目本体部２６１は、内側に形成されかつ無目２６の長手方向に延びる溝部２６１ａ，２６１ｂと、外側に形成されかつ無目２６の長手方向に延びる溝部２６１ｃと、を備える。
溝部２６１ａは、無目本体部２６１の内側上部の屋内側の角に配置される。溝部２６１ｂは、内側下部の屋内側の角に配置される。溝部２６１ａ，２６１ｂは、いずれも、見付方向の縦枠２３，２４側から縦枠２３，２４を連結するため、又は、方立２５側から方立２５を連結するためのビス（図示せず）が差し込まれるネジ受けとなる。
溝部２６１ｃは、無目本体部２６１の外側下部の屋外側に配置される。溝部２６１ｃには、ＦＩＸ窓６２を構成するガラス６２ａの上端部の屋内側を保持して止水する止水部材６２ｋが差し込まれる。
【００２０】
無目ガラス保持部２６２には、ＦＩＸ窓６２を構成するガラス６２ａの上端部を保持するガラス溝２６２ａが形成される。ガラス溝２６２ａは、上部の下方側に形成されかつ無目２６の長手方向に延びる溝部２６２ｂを備える。溝部２６２ｂは、後述する排水構造体８を縦枠２３，２４、方立２５のガラス溝に固定する際に、縦枠２３，２４、方立２５と、排水構造体８と、無目２６と、を連結するためのビス（図示せず）が差し込まれるネジ受けとなる。
無目ガラス保持部２６２の屋外側の上端には、ガラス保持部材２６３を嵌合する嵌合部２６２ｃが形成される。
【００２１】
ガラス保持部材２６３は、嵌合部２６２ｃに嵌合される。無目本体部２６１及びガラス保持部材２６３によって、ガラス６１ａの下端部を保持するガラス溝２６３ａが形成される。
【００２２】
ガラス６１ａは単板ガラスであり、上枠２１と無目２６との間で保持される。ガラス６１ａの保持について説明する。ガラス６１ａは、ガラス溝２６３ａの内部に配置される支持部材６１ｂによって下から支持される。ガラス６１ａの下端部は、ガラス溝２６３ａ内において、バックアップ材６１ｃ，６１ｃによって挟まれる。更にバックアップ材６１ｃ，６１ｃの上方には、シール材６１ｄ，６１ｄが塗工される。ガラス６１ａの上端部は、ガラス溝２１２ａ内において、バックアップ材６１ｆ，６１ｆによって挟まれる。更にバックアップ材６１ｆ，６１ｆの下方には、シール材６１ｅ，６１ｅが塗工される。
【００２３】
巾木部２２は、中空部を備えるホロー構造である巾木本体部２２１と、巾木本体部２２１に係止されるガラス保持部材２２２と、巾木本体部２２１の屋外側の下端に形成される枠部２２３と、を備える。
【００２４】
巾木本体部２２１の内側には、巾木部２２の長手方向に延びる溝部２２１ｂ，２２１ｃ，２２１ｄ，２２１ｅが形成される。溝部２２１ｂは、内側であって屋外側の上部に配置される。溝部２２１ｃは、巾木本体部２２１の内側上部の屋内側の角に配置される。溝部２２１ｄは、巾木本体部２２１の内側下部の屋内側の角に配置される。溝部２２１ｅは、内側であって屋外側の下部に配置される。溝部２２１ｃ，２２１ｄは、いずれも、見付方向の縦枠２３，２４側から縦枠２３，２４を連結するため、又は、方立２５側から方立２５を連結するためのビス（図示せず）が差し込まれるネジ受けとなる。
溝部２２１ｂ，２２１ｅは、いずれも、後述する排水構造体８を縦枠２３，２４、方立２５のガラス溝に固定する際に、縦枠２３，２４、方立２５と、排水構造体８と、巾木部２２と、を連結するためのビス７３（図９参照）が差し込まれるネジ受けとなる。
巾木本体部２２１の屋外側の上端には、ガラス保持部材２２２を嵌合する嵌合部２２１ａが形成される。
【００２５】
ガラス保持部材２２２は、嵌合部２２１ａに嵌合される。巾木本体部２２１及びガラス保持部材２２２によって、ガラス６２ａの下端部を保持するガラス溝２２２ａが形成される。
【００２６】
枠部２２３は、下方に開放された断面略Ｃ字状に形成される。枠部２２３には、その下部の開放端のそれぞれにおいて一対の係合端２２３ａ，２２３ａが形成される。一対の係合端２２３ａ，２２３ａには、アンカー（図示せず）が差し込まれる。一対の係合端２２３ａ，２２３ａに差し込まれたアンカー（図示せず）がビス等の固定具により建物側に締結される。これにより、巾木部２２は、建物側に支持される。
【００２７】
ガラス６２ａは単板ガラスであり、無目２６と巾木部２２の間で保持される。ガラス６２ａの保持について説明する。ガラス６２ａは、ガラス溝２２２ａの内部に配置される支持部材６２ｆによって下から支持される。ガラス６２ａの下端部は、ガラス溝２２２ａ内において、バックアップ材６２ｇ，６２ｇによって挟まれる。更にバックアップ材６２ｇ，６２ｇの上方には、シール材６２ｈ，６２ｈが塗工される。ガラス６２ａの上端部は、ガラス溝２６２ａ内において、屋外側に配置されるバックアップ材６２ｊ及び屋内側に配置される止水部材６２ｋによって挟まれる。更にバックアップ材６２ｊの下方には、シール材６２ｉが塗工される。
【００２８】
次に、縦枠２３，２４及び方立２５について説明する。図１に示すように、縦枠２３，２４及び方立２５は、ＦＩＸ窓６１及びＦＩＸ窓６２の縦材を構成する。
本実施形態では、サッシユニット１が見付方向の中央に対して左右対称の構造である。そのため、縦枠２３，２４及び方立２５において、本実施形態の説明では、屋外側から見て、サッシユニット１の左側の縦枠２３及び方立２５について説明し、屋外側から見て、サッシユニット１の右側の方立２５及び縦枠２４の説明を省略する。サッシユニット１の右側の方立２５及び縦枠２４の説明は、サッシユニット１の左側の方立２５及び縦枠２３の説明を援用できる。
【００２９】
図３に示すように、縦枠２３は、屋内側に配置される左側が開放された断面略Ｃ字状である縦枠本体部２３１と、縦枠本体部２３１から屋外側に延設され右側から左側に窪む凹状部分を有する縦枠ガラス保持部２３２と、を備える。
【００３０】
縦枠本体部２３１は、内側の左側に形成されかつ縦枠２３の長手方向に延びる一対の爪部２３１ａ、２３１ａを備える。一対の爪部２３１ａ，２３１ａは、縦枠本体部２３１の左側の開放端のそれぞれにおいて内側に突出して折れ曲がる。一対の爪部２３１ａ，２３１ａには、アンカー２３３が差し込まれる。一対の爪部２３１ａ，２３１ａに差し込まれたアンカー２３３は、ビス等の固定具により建物側に締結される。これにより、縦枠２３は、建物側に支持される。
【００３１】
縦枠ガラス保持部２３２の凹状部分の内周面には、ＦＩＸ窓６２を構成するガラス６２ａの左側の端部を保持するガラス溝２３２ａが形成される。縦枠２３のガラス溝２３２ａは、上枠２１、巾木部２２、無目２６のガラス溝２１２ａ、２６３ａ、２６２ａ、２２２ａが連続する。ガラス溝２３２ａの内部には、巾木部２２（横材）に縦枠２３が取り付けられる部分において、巾木部２２の側方において、後述する排水構造体８が収納される。
【００３２】
方立２５は、図３に示すように、分割された２つの縦材により構成され、屋外側から見て、右側に配置される第１方立部材３１（一方側縦材）と、左側に配置される第２方立部材３２（他方側縦材）と、を備える。第１方立部材３１及び第２方立部材３２は、屋外側において、後述する嵌合部３００において嵌合されると共に、屋内側において、第２方立本体部３２１の係合部３２１ａが第１方立本体部３１１の係合部３１１ｂに嵌合されることで、連結される。
【００３３】
第１方立部材３１は、左側が開放された断面略Ｌ字状の第１方立本体部３１１と、第１方立本体部３１１の屋外側に延設されかつガラス６１ａの左側の側端部が挿入されて保持されるガラス溝３１２ａ（一方側ガラス溝）が形成される第１方立保持部３１２と、を備える。第１方立部材３１のガラス溝３１２ａは、第１方立部材３１における見込面において上端から下端まで長手方向に連続して延びて形成される。第１方立保持部３１２のガラス溝３１２ａには、巾木部２２のガラス溝２２２ａが連続する。ガラス溝３１２ａの内部には、巾木部２２（横材）に方立２５が取り付けられる部分において、後述する排水構造体８が収納される。
【００３４】
第１方立本体部３１１は、見付方向に延在する第１方立本体見付部３１１ａと、第１方立本体見付部３１１ａの右側の端部から見込方向の屋外側に延在する第１方立本体見込部３１１ｃと、を備える。第１方立本体見付部３１１ａの左側の端部には、係合部３１１ｂが形成される。
【００３５】
第１方立保持部３１２は、左側から右側に窪む凹状に形成され且つ凹状の部分の内周面がガラス溝３１２ａとして形成される曲面状部３１２ｂと、曲面状部３１２ｂの左側の外側から突出する一対の突出部３１２ｃ、３１２ｃと、曲面状部３１２ｂの屋外側の端部から見込方向の屋外側に延出する第１方立保持見込部３１２ｄと、第１方立保持見込部３１２ｄの屋外側の端部から見付方向の左側に延在する第１方立保持見付部３１２ｅと、を備える。第１方立保持見付部３１２ｅの左側の端部には、係合部３１２ｆが形成される。
【００３６】
曲面状部３１２ｂの左側の先端側には、見込方向に延びる第１方立側対向壁３１２ｇが形成される。ガラス溝３１２ａが形成された第１方立側対向壁３１２ｇには、見付方向に貫通する第１方立側ビス孔３１２ｈ（一方側ビス孔）が形成される。第１方立部材３１の第１方立側ビス孔３１２ｈには、第１方立部材３１と第２方立部材３２とを連結するために、第２方立部材３２の第２方立側ビス孔３２２ｇ（後述）とに亘って、後述するビス７１が挿通される。
【００３７】
第２方立部材３２は、見込方向に延在する第２方立本体部３２１と、第２方立本体部３２１の屋外側に設けられ且つガラス６２ａの右側の側端部が挿入されて保持されるガラス溝３２２ａ（他方側ガラス溝）が形成される第２方立保持部３２２と、を備える。第２方立部材３２のガラス溝３２２ａは、第２方立部材３２の見込面において上端から下端まで長手方向に連続して延びて形成される。第２方立保持部３２２のガラス溝３２２ａには、巾木部２２のガラス溝２２２ａが連続する。ガラス溝３２２ａの内部には、巾木部２２（横材）に方立２５が取り付けられる部分において、後述する排水構造体８が収納される。
【００３８】
第２方立本体部３２１の見込方向の屋内側の端部には、係合部３２１ａが形成される。係合部３２１ａは、第１方立本体部３１１の係合部３１１ｂに係合する。
【００３９】
第２方立保持部３２２は、右側から左側に窪む凹状に形成され且つ凹状の部分の内周面がガラス溝３２２ａとして形成される曲面状部３２２ｂと、曲面状部３２２ｂの右側の外側から突出する一対の突出部３２２ｃ、３２２ｃと、曲面状部３２２ｂの屋外側の端部から見込方向の屋外側に延出する第２方立保持見込部３２２ｄと、を備える。一対の突出部３２２ｃ、３２２ｃは、見込方向において、第１方立保持部３１２の一対の突出部３１２ｃ、３１２ｃの内側に配置される。第２方立保持見込部３２２ｄの屋外側の端部には、係合部３２２ｅが形成される。
【００４０】
係合部３２２ｅは、第１方立保持部３１２の係合部３１２ｆに係合する。第２方立保持部３２２の係合部３２２ｅ及び第１方立保持部３１２の係合部３１２ｆは、第１方立部材３１及び第２方立部材３２が嵌合する嵌合部３００を構成する。嵌合部３００は、第１方立部材３１におけるガラス溝３１２ａの裏面と第２方立部材３２のガラス溝３２２ａの裏面が対向した状態で、第１方立部材３１と第２方立部材３２とを嵌合して連結する。嵌合部３００は、第１方立部材３１のガラス溝３１２ａ及び第２方立部材３２のガラス溝３２２ａよりも屋外側に配置される。嵌合部３００において、第２方立保持部３２２の係合部３２２ｅと第１方立保持部３１２の係合部３１２ｆとの間には、乾式のシール部材３０１が配置されている。
【００４１】
曲面状部３２２ｂの右側の先端側には、見込方向に延びる第２方立側対向壁３２２ｆが形成される。第２方立部材３２のガラス溝３２２ａが形成された第２方立側対向壁３２２ｆには、見付方向に貫通する第２方立側ビス孔３２２ｇ（他方側ビス孔）が形成される。第２方立部材３２の第２方立側ビス孔３２２ｇには、第１方立部材３１と第２方立部材３２とを連結するために、第１方立部材３１の第１方立側ビス孔３１２ｈとに亘って、後述するビス７１が挿通される。
【００４２】
図３に示すように、曲面状部３２２ｂにおける方立２５の屋外側の空間との境界の部分には、少なくとも１つの空気連通貫通孔３２２ｈが形成される。空気連通貫通孔３２２ｈは、見込方向に貫通し、第２方立部材３２のガラス溝３２２ａの内部と方立２５の屋外側の内部とを連通させるように貫通して形成されている。本実施形態においては、第２方立部材３２のガラス溝３２２ａの内部は、巾木部２２などの横材に形成される水抜き孔などを通して、屋外と連通している。そのため、第２方立部材３２のガラス溝３２２ａの内部の気圧は、屋外の気圧と同じである。ここで、本実施形態においては、第２方立部材３２のガラス溝３２２ａの内部と方立２５の屋外側の内部とを連通させることで、見込方向における止水部材１０（後述する）を境界とした方立２５の屋外側の内部の気圧を、屋外の気圧に近づけて、屋外との気圧差をなくして、方立２５の屋外側の内部に水が引き込まれないように構成した。これにより、方立２５の屋外側の内部への水の浸入を抑制し、水密性を向上できる。本実施形態においては、空気連通貫通孔３２２ｈは、例えば、第２方立保持部３２２の曲面状部３２２ｂに、少なくとも１つ設けられている。なお、空気連通貫通孔３２２ｈの大きさ、数及び位置については、水密性を考慮した上で、第２方立部材３２のガラス溝３２２ａの内部の気圧と方立２５の屋外側の内部の気圧とを近づけることができる大きさ、数及び位置が設定される。
【００４３】
第１方立本体部３１１と第２方立本体部３２１とを連結させる場合に、第１方立本体部３１１におけるガラス溝３１２ａの裏面側と、第２方立本体部３２１におけるガラス溝３１２ａの裏面側とを対向させて組み合わせた状態で、第１方立本体部３１１と第２方立本体部３２１とを、屋外側において、嵌合部３００において嵌合させると共に、屋内側において、第２方立本体部３２１の係合部３２１ａを第１方立本体部３１１の係合部３１１ｂに嵌合させる。これにより、第１方立本体部３１１と第２方立本体部３２１とを連結させる。
【００４４】
第１方立本体部３１１と第２方立本体部３２１とを連結した場合に、第１方立本体部３１１の一対の突出部３１２ｃ、３１２ｃと第２方立本体部３２１との一対の突出部３２２ｃ、３２２ｃとの接続部分には、区画部１００が形成される。本実施形態においては、区画部１００は、第１方立本体部３１１におけるガラス溝３１２ａの裏面側と、第２方立本体部３２１におけるガラス溝３１２ａの裏面側とを対向させて組み合わせた状態において、第１方立本体部３１１の第１方立側対向壁３１２ｇと、第２方立本体部３２１の一対の突出部３２２ｃ、３２２ｃと、第２方立保持部３２２の第２方立側対向壁３２２ｆと、により囲まれた部分により構成される。
【００４５】
本実施形態においては、区画部１００は、一対の突出部３２２ｃ、３２２ｃにより、止水部材１０の見込方向の位置が位置決めされ、第１方立側対向壁３１２ｇにおけるガラス溝３１２ａの裏面及び第２方立側対向壁３２２ｆにおけるガラス溝３２２ａの裏面により、止水部材１０の見付方向の位置が位置決めされる。
【００４６】
区画部１００は、第１方立側対向壁３１２ｇにおけるガラス溝３１２ａの裏面と第２方立側対向壁３２２ｆにおけるガラス溝３２２ａの裏面とが対向して配置された状態において、第１方立側対向壁３１２ｇにおけるガラス溝３１２ａの裏面と第２方立側対向壁３２２ｆにおけるガラス溝３２２ａの裏面との間の空間を、止水部材１０が収容される収容空間として区画する。区画部１００には、止水部材１０が充填（配置）される。
【００４７】
止水部材１０は、区画部１００に配置されることで、第１方立部材３１におけるガラス溝３１２ａの裏面と、第２方立部材３２におけるガラス溝３２２ａの裏面との間に挟まれて配置された状態で、第１方立部材３１及び第２方立部材３２の長手方向に連続して延びて形成される。止水部材１０は、例えば、弾性部材で構成される。止水部材１０を区画部１００の収容空間に配置する場合には、止水部材１０を、弾性変形させて潰した状態で、区画部１００の内部に配置する。これにより、止水部材１０を、弾性復帰力により、区画部１００に保持させることで、安定して圧縮させた状態で、区画部１００に配置できる。
【００４８】
第１方立部材３１におけるガラス溝３１２ａの裏面と第２方立部材３２におけるガラス溝３２２ａの裏面との間に止水部材１０が配置されることで、止水部材１０は、見込方向において、第１方立部材３１におけるガラス溝３１２ａの裏面と第２方立部材３２におけるガラス溝３２２ａの裏面が対向した部分を境界にして、方立２５の内部の空間の気圧について、屋内側の気圧と屋外側の気圧とに区切ることができる。これにより、ガラス溝３１２ａ及びガラス溝３２２ａよりも屋外側に配置される嵌合部３００から、方立２５の内部に水が引き込まれることを抑制できる。
【００４９】
止水部材１０は、図１に示すように、サッシユニット１の上下方向の長手方向の全領域に亘って連続して延びる。止水部材１０の上端部は、サッシユニット１の上枠２１の上端部よりも上方側に延び、かつ、躯体（図示せず）を納めるためのシール部材（図示せず）に接続されている。また、止水部材１０の下端部は、サッシユニット１の巾木部２２の下端部よりも下方側に延び、かつ、躯体（図示せず）を納めるためのシール部材（図示せず）に接続されている。これにより、水密性を高めることができる。
【００５０】
ＦＩＸ窓６２（ガラス６２ａ）は、図１に示すように、サッシユニット１における屋外側から見て見付方向の左側において、縦枠２３と方立２５の第２方立部材３２との間で保持される。また、サッシユニット１における屋外側から見て見付方向の中央において、隣り合う２つの方立２５，２５の間で保持される。また、ＦＩＸ窓６２（ガラス６２ａ）は、サッシユニット１における屋外側から見て見付方向の右側において、方立２５の第１方立部材３１と縦枠２４との間で保持される。
【００５１】
ガラス６２ａの保持について説明する。ここでは、サッシユニット１における屋外側から見て見付方向の左側及び中央におけるガラス６２ａの保持について説明する。なお、サッシユニット１における屋外側から見て見付方向の右側の構造は、サッシユニット１における屋外側から見て見付方向の左側の構造と左右対称の構造であるため、説明を省略する。
【００５２】
サッシユニット１における屋外側から見て見付方向の左側で縦枠２３と方立２５の第２方立部材３２との間で保持されるガラス６２ａにおいて、図３に示すように、ガラス６２ａの屋外側から見て左側の端部は、ガラス溝２３２ａ内において、屋外側に配置されるバックアップ材６２１ａ及び屋内側に配置される気密材６２１ｃによって挟まれる。更にバックアップ材６２１ａの右側には、シール材６２１ｂが塗工される。
【００５３】
サッシユニット１における屋外側から見て見付方向の左側で縦枠２３と方立２５の第２方立部材３２との間で保持されるガラス６２ａにおいて、ガラス６２ａの屋外側から見て右側の端部は、ガラス溝３２２ａ内において、屋外側に配置されるバックアップ材６２２ａ及び屋内側に配置される気密材６２２ｃによって挟まれる。更にバックアップ材６２２ａの左側には、シール材６２２ｂが塗工される。
【００５４】
気密材６２１ｃ，６２２ｃは、気密材ホルダ６２１ｄ，６２２ｄに取り付けられる。本実施形態においては、気密材ホルダ６２１ｄ，６２２ｄは、上下方向に延びて形成される。気密材ホルダ６２１ｄ，６２２ｄは、着脱可能に設けられ、排水構造体８が配置される部分を避けて、縦枠２３のガラス溝２３２ａ又は第２方立部材３２のガラス溝３２２ａにおけるガラス６２ａが収納される位置に配置される。気密材ホルダ６２１ｄ，６２２ｄは、ガラス溝２３２ａ，３２２ａの屋内側の見付方向に延びる見付面３０ｂ（図３、図７参照）において上下方向に沿って貼り付けられる。気密材ホルダ６２１ｄ，６２２ｄは、ガラス６２ａをガラス溝２３２ａ，３２２ａに組み込む前に、ガラス溝２３２ａ，３２２ａの屋外側の見付面３０ｂに貼り付けられて固定される。
【００５５】
方立２５を挟んで隣り合う一対のガラス６２ａ，６２ａは、それぞれ、ガラス溝３１２ａ，３２２ａに対向する側端部が挿入されて保持される。ガラス溝３１２ａとガラス溝３２２ａとでは、ガラス溝３２２ａの方が深い溝に形成される。
【００５６】
サッシユニット１における屋外側から見て隣合う２つの方立２５，２５の間で保持されるガラス６２ａにおいて、ガラス６２ａの屋外側から見て左側の端部は、ガラス溝３１２ａ内において、屋外側に配置されるバックアップ材６２３ａ及び屋内側に配置される気密材６２３ｃによって挟まれる。更にバックアップ材６２３ａの右側には、湿式のシール材６２３ｂが塗工される。
気密材６２３ｃは、気密材ホルダ６２３ｄに取り付けられる。気密材ホルダ６２３ｄの構成は、前述の気密材ホルダ６２１ｄ，６２２ｄと同様の構成を有するため、その説明を省略する。
【００５７】
図３に示すように、第１方立部材３１の曲面状部３１２ｂと第２方立部材３２の曲面状部３２２ｂとは、互いが対向する凹状の最も奥側の部分（第１方立側対向壁３１２ｇ及び第２方立側対向壁３２２ｆ）同士が、締結部材としてのビス７１によって連結されている。本実施形態においては、ビス７１は、第１方立部材３１の第１方立側ビス孔３１２ｈと第２方立部材３２の第２方立側ビス孔３２２ｇとに挿通された状態で、止水部材１０を介して、第１方立本体部３１１及び第２方立本体部３２１を締結する。具体的には、止水部材１０が区画部１００に収容された状態において、ビス７１は、第２方立部材３２の第２方立側ビス孔３２２ｇ、止水部材１０、第１方立部材３１の第１方立側ビス孔３１２ｈの順に貫通して挿通される。これにより、ビス７１は、止水部材１０を介在させて、第２方立部材３２の第２方立側ビス孔３２２ｇ及び第１方立部材３１の第１方立側ビス孔３１２ｈにおいて、第１方立本体部３１１及び第２方立本体部３２１を締結する。
【００５８】
本実施形態では、ビス７１は、方立２５の長手方向に所定の間隔をあけて複数締結されている。本実施形態の第１方立本体部３１１及び第２方立本体部３２１は、組み合わされた状態で断面長方形の筒状に形成される。
【００５９】
以上のように構成される縦枠２３及び方立２５には、前述した巾木部２２以外に、上枠２１及び無目２６にも連結されている。なお、縦枠２３及び方立２５と、上枠２１又は無目２６との連結の構成は、本実施形態における縦枠２３及び方立２５と、巾木部２２との連結の構成と同様であるため、説明を省略する。
【００６０】
次に、排水構造体８について説明する。なお、図１においては、排水構造体８は、縦枠２３，２４、方立２５のガラス溝２３２ａ、３１２ａ、３２２ａ（図２及び図３参照）の内部に収納されているため、実際には、外部からは視認できない。ただし、図１においては、排水構造体８の位置を説明する便宜上、排水構造体８を実線で示している。
【００６１】
図４は、本実施形態の排水構造体８が、方立２５のガラス溝３１２ａに収納された状態を示す斜視図である。図５は、方立２５のガラス溝３１２ａに排水構造体８を収納する場合において、方立２５、排水構造体８及び巾木部２２を分解した状態を示す分解斜視図である。図６は、方立２５のガラス溝３１２ａに収納された排水構造体８を上方から視た図である。図７は、方立２５のガラス溝３１２ａに排水構造体８を収納する場合において、方立２５、排水構造体８及び巾木部２２を分解した状態を上方から視た図である。図８は、本実施形態の排水構造体８を示す図であって、（ａ）は平面図であり、（ｂ）は基端面部８１ａ側から見た側面図である。図９は、方立２５のガラス溝３１２ａに収納された排水構造体８の縦断面図である。図１０は、方立２５のガラス溝３１２ａにカバー部材９を取り付けた状態を示す断面図である。
【００６２】
排水構造体８は、図１及び図２に示すように、縦枠２３，２４、方立２５のガラス溝２３２ａ、３１２ａ、３２２ａ（図３参照）の内部に収納されている。図２及び図３に示すように、縦枠２３，２４、方立２５のガラス溝２３２ａ、３１２ａ、３２２ａは、上枠２１、巾木部２２、無目２６とガラス溝２１２ａ、２６３ａ、２２２ａに連続している。排水構造体８は、縦枠２３，２４、方立２５のガラス溝２３２ａ、３１２ａ、３２２ａに浸入した水を、止水して、側方に連続する上枠２１、巾木部２２、無目２６のガラス溝２１２ａ、２６３ａ、２２２ａへ流すように構成される。
【００６３】
本実施形態においては、排水構造体８（排水ブロック８１）は、図１及び図２に示すように、縦枠２３，２４、方立２５における上枠２１及び無目２６に取り付けられる部分において、上枠２１及び無目２６の上下方向の幅の範囲内において、それぞれ、縦枠２３，２４、方立２５のガラス溝２３２ａ，３１２ａ，３２２ａに沿って、１つ配置されている。
また、本実施形態においては、排水構造体８（排水ブロック８１）は、図１及び図２に示すように、縦枠２３，２４、方立２５における巾木部２２に取り付けられる部分において、巾木部２２の上下方向の幅の範囲内において、縦枠２３，２４、方立２５のガラス溝２３２ａ，３１２ａ，３２２ａに沿って、２つ配置されている。巾木部２２は、上枠２１及び無目２６よりも、上下方向の幅の長さが大きい。
【００６４】
本実施形態においては、図４及び図５に示すように、複数の排水構造体８のうち、横材としての巾木部２２のガラス溝２２２ａに連続する縦材としての方立２５の第１方立部材３１のガラス溝３１２ａの内部に収容される排水構造体８について説明する。
【００６５】
なお、本実施形態においては、複数の排水構造体８について、排水ブロック８１の見付方向の長さや見付方向の向きが異なる形状（左右が逆の形状）のものもある。しかし、排水構造体８の基本的な構造及びガラス溝への取り付けの構成は同じである。そのため、複数の排水構造体８の構造及びガラス溝への取り付けの構成については、本実施形態で説明する排水構造体８の説明を適用できる。
【００６６】
まず、排水構造体８が配置される第１方立部材３１のガラス溝３１２ａの内周面の形状について説明する。第１方立部材３１のガラス溝３１２ａの内周面の形状は、図６及び図７に示すように、ガラス溝３１２ａにおける見込方向の中央において見付方向に延びる縦断面である仮想平面Ｍに対して、対称の形状である。
【００６７】
第１方立部材３１のガラス溝３１２ａの内周面の形状は、図７に示すように、簡単な形状に形成される。ガラス溝３１２ａの内周面の形状を簡単な形状にする理由は、第１方立部材３１のガラス溝３１２ａに収納する排水構造体８の形状を簡単な形状にすることで、複雑な形状のガラス溝を止水するよりも、第１方立部材３１のガラス溝３１２ａと排水構造体８との間の水密性を向上させるためである。
【００６８】
具体的には、第１方立部材３１のガラス溝３１２ａの内周面の形状は、図７に示すように、断面視で（水平面（方立２５が延びる方向に直交する方向の平面）で切断した断面をガラス溝３１２ａが延びる方向に視た場合に）、巾木部２２と見付方向の反対側において凹状となる曲面状に形成される。言い換えると、第１方立部材３１のガラス溝３１２ａの内周面の形状は、排水構造体８が収納される場合における排水構造体８のガラス溝３１２ａへの挿入方向の排水構造体８の先端側（巾木部２２と見付方向の反対側）が配置される側が凹となるアールを有するアール形状の曲面状である。
【００６９】
第１方立部材３１のガラス溝３１２ａの内周面は、見込方向に延びる見込面３０ａと、見付方向に延びる一対の見付面３０ｂ，３０ｂと、見込面３０ａの見込方向の両端部と見付面３０ｂの一端部とを突状係止部３０ｄ（後述）を介してつなぐ一対の曲面３０ｃと、を有する。見付面３０ｂ、突状係止部３０ｄ（後述）、曲面３０ｃ、見付面３０ｂ、曲面３０ｃ、突状係止部３０ｄ（後述）、見付面３０ｂをこの順に通るガラス溝３１２ａの内周面の形状は、全体として、Ｕ字形状の曲面状に形成される。
【００７０】
また、第１方立部材３１のガラス溝３１２ａの内周面には、ガラス溝３１２ａが延びる方向に沿って上下方向に延びる一対の突状係止部３０ｄ，３０ｄが形成されている。一対の突状係止部３０ｄ，３０ｄは、ガラス溝３１２ａの見付面３０ｂと曲面３０ｃとの間においてガラス溝３１２ａの内部側に突出し且つ第１方立部材３１のガラス溝３１２ａに沿って上下方向に延びる。一対の突状係止部３０ｄ，３０ｄには、第１方立部材３１のガラス溝３１２ａにガラス６２ａを取り付けない場合に、図１０に示すように、ガラス溝３１２ａを塞ぐカバー部材９が取り付けられる。
【００７１】
カバー部材９は、図１０に示すように、カバー部材９における見込方向の中央において見付方向に延びる縦断面である仮想平面Ｍに対して、対称の形状に形成される。カバー部材９は、第１方立部材３１のガラス溝３１２ａを塞ぐ閉止面板９１と、閉止面板９１の見付方向の両端部それぞれから延びると共に第１方立部材３１のガラス溝３１２ａの見付面３０ｂに沿って配置される一対の側面板９２，９２と、側面板９２それぞれにおける閉止面板９１とは反対側の端部に形成される突起９３と、を有する。
【００７２】
これにより、第１方立部材３１のガラス溝３１２ａにガラス６２ａを取り付けない場合には、カバー部材９の一対の突起９３，９３を、カバー部材９を第１方立部材３１のガラス溝３１２ａの一対の突状係止部３０ｄ，３０ｄに係止させることで、カバー部材９を第１方立部材３１のガラス溝３１２ａに取り付けて、第１方立部材３１のガラス溝３１２ａを塞ぐことができる。
【００７３】
一対の突状係止部３０ｄ，３０ｄは、図７に示すように、第１方立部材３１のガラス溝３１２ａの内周面から僅かに突出する程度であるため、ガラス溝３１２ａの見付面３０ｂと曲面３０ｃとの間に配置されていても、第１方立部材３１のガラス溝３１２ａの内周面が曲面状である構成は確保される。また、一対の突状係止部３０ｄ，３０ｄは、アールを付けて緩やかに突出するように形成されており、第１方立部材３１のガラス溝３１２ａの内周面の簡単な曲面状の形状を妨げない形状に形成される。
【００７４】
以上のように、第１方立部材３１のガラス溝３１２ａの内周面の形状を簡単な形状とすることで、第１方立部材３１のガラス溝３１２ａにおいて止水する排水構造体８の形状を簡単な形状にできる。そのため、複雑な形状のガラス溝を止水よりも、第１方立部材３１のガラス溝３１２ａと排水構造体８との間の水密性を向上できる。
【００７５】
排水構造体８は、第１方立部材３１のガラス溝３１２ａに収納される。排水構造体８は、図８（ａ）及び図８（ｂ）に示すように、排水ブロック８１と、発泡材８２と、第１水膨潤性止水材８３と、第２水膨潤性止水材８４と、を備える。排水ブロックは、樹脂製の部材であり、ブロック状に形成される。排水ブロック８１は、ブロック本体８１１と、一対の突起８１２，８１２と、を有する。
【００７６】
ブロック本体８１１は、一定の厚さを有する平板状のブロック状に形成される。ブロック本体８１１は、排水構造体８が第１方立部材３１のガラス溝３１２ａに収納された場合に、第１方立部材３１のガラス溝３１２ａの内周面に対応する外周面の形状が、前述の第１方立部材３１のガラス溝３１２ａの内周面の形状に対応した形状に形成される。
【００７７】
ブロック本体８１１は、図９に示すように、排水構造体８が第１方立部材３１のガラス溝３１２ａに取り付けられた状態において、上面が、巾木部２２のガラス溝２２２ａの底面（上方側を向く面）と同一平面上に位置するように配置される。
【００７８】
ブロック本体８１１の外周面の形状は、図６〜図８（ｂ）に示すように、ブロック本体８１１における見込方向の中央において見付方向に延びる縦断面である仮想平面Ｍに対して、対称の形状である。
【００７９】
ブロック本体８１１の外周面の形状は、図７に示すように、第１方立部材３１のガラス溝３１２ａの内周面の形状に対応した簡単な形状に形成される。具体的には、ブロック本体８１１の外周面の形状は、断面視で（水平面（方立２５が延びる方向に直交する方向の平面）で切断した断面をガラス溝３１２ａが延びる方向に視た場合に）、外周面における排水構造体８が収納される場合における排水構造体８のガラス溝３１２ａへの挿入方向の先端側（巾木部２２と見付方向の反対側）が凸となるアールを有するアール形状の曲面状である。
【００８０】
ブロック本体８１１の外周面は、図８に示すように、見込方向に延びる基端面部８１ａと、ブロック本体８１１における基端面部８１ａと反対側において見込方向に延びる先端面部８１ｃと、見付方向に延びる一対の側面部８１ｂ，８１ｂと、一対の側面部８１ｂ，８１ｂと先端面部８１ｃを凹部８１ｅ（後述）を介してつなぐ一対のブロック曲面８１ｄ，８１ｄと、を有する。側面部８１ｂ、凹部８１ｅ（後述）、ブロック曲面８１ｄ、先端面部８１ｃ、ブロック曲面８１ｄ、凹部８１ｅ（後述）、側面部８１ｂをこの順に通るブロック本体８１１の外周面の形状は、全体として、Ｕ字形状の曲面状に形成される。
【００８１】
ブロック本体８１１の外周面には、図６及び図７に示すように、一対の凹部８１ｅ，８１ｅが形成されている。一対の凹部８１ｅ，８１ｅは、ブロック本体８１１の外周面における側面部８１ｂとブロック曲面８１ｄとの間において外周面から窪んで形成され且つ厚さ方向に延びる。一対の凹部８１ｅ，８１ｅは、排水構造体８が第１方立部材３１に収納される場合において、第１方立部材３１のガラス溝３１２ａの一対の突状係止部３０ｄ，３０ｄを避ける形状に形成されている。
【００８２】
一対の凹部８１ｅ，８１ｅは、ブロック本体８１１の外周面から僅かに窪む程度であるため、側面部８１ｂとブロック曲面８１ｄとの間に配置されていても、ブロック本体８１１の外周面が曲面状である構成は確保される。また、一対の凹部８１ｅ，８１ｅは、アールを付けて緩やかに窪むように形成されており、ブロック本体８１１の外周面の簡単な曲面状の形状を妨げない形状に形成される。
【００８３】
基端面部８１ａは、図６に示すように、排水構造体８がガラス溝３１２ａに収納された場合に、第１方立部材３１の上下方向に延びる内側面３１ａと同一平面状に位置する。一対の側面部８１ｂ、８１ｂは、ガラス溝３１２ａの内周面の一対の見付面３０ｂ，３０ｂに対向する。先端面部８１ｃは、ガラス溝３１２ａの内周面の見込面３０ａに対向する。一対のブロック曲面８１ｄ，８１ｄは、ガラス溝３１２ａの内周面の一対の曲面３０ｃ，３０ｃに対向する。一対の凹部８１ｅ，８１ｅは、ガラス溝３１２ａの内周面の一対の突状係止部３０ｄ，３０ｄに対向する。
【００８４】
以上のように、ブロック本体８１１の形状を、第１方立部材３１のガラス溝３１２ａの内周面の形状に対応させて、簡単な形状にできる。そのため、簡単な形状のガラス溝３１２ａを、簡単な形状のブロック本体８１１を有する排水構造体８で止水できる。これにより、複雑な形状のガラス溝を止水するよりも、第１方立部材３１のガラス溝３１２ａと排水構造体８との間の水密性を向上できる。
【００８５】
一対の突起８１２，８１２は、図８に示すように、ブロック本体８１１の先端面部８１ｃ側の先端部において、上面及び下面に設けられる。一対の突起８１２，８１２は、ブロック本体８１１の上下方向（厚さ方向）の中央に対して上下対称の形状に形成される。一対の突起８１２，８１２は、図９に示すように、それぞれ、ブロック本体８１１の先端部の上面及び下面から、上面及び下面から離れる方向に突出し且つガラス溝３１２ａの見込面３０ａ側に突出する。
【００８６】
突起８１２の先端面８１２ａは、排水構造体８が第１方立部材３１のガラス溝３１２ａに収納された場合に、図６及び図９に示すように、ガラス溝３１２ａの見込面３０ａに平行に対向して形成され、見込方向及び上下方向（厚さ方向）に平面状に延びる。一対の突起８１２，８１２の先端面８１２ａは、排水構造体８が第１方立部材３１のガラス溝３１２ａに収納された場合に、第１方立部材３１のガラス溝３１２ａの見込面３０ａに当接又は近接して配置される。これにより、ブロック本体８１１は、水平方向に対して傾いて配置されないように、ガラス溝３１２ａの見込面３０ａに対して位置決めされる。そのため、一対の突起８１２，８１２は、ブロック本体８１１の厚さが薄い場合であっても、ブロック本体８１１が傾かないように位置決めできる。
【００８７】
ブロック本体８１１には、図８（ａ）及び図８（ｂ）に示すように、貫通穴８１３が形成される。貫通穴８１３は、ブロック本体８１１の見込方向の略中央且つ厚さ方向の略中央において、見込方向に長い長穴状に形成され、見付方向に貫通して形成される。貫通穴８１３には、排水構造体８を、第１方立部材３１及び巾木部２２に固定する際に、ビス７３が貫通される。貫通穴８１３が見込方向に長い長穴状に形成されるため、ビス７３で固定する際に、ブロック本体８１１が見込方向にずれて取り付けられても、ビス７が貫通穴８１３を貫通する見込方向の範囲が、長穴の長さの分だけ見込方向に許容される。
【００８８】
発泡材８２、第１水膨潤性止水材８３及び第２水膨潤性止水材８４は、排水ブロック８１と第１方立部材３１のガラス溝３１２ａとの間への水の浸入を抑制できる乾式シール材である。
【００８９】
発泡材８２は、図８（ａ）及び図８（ｂ）に示すように、厚みを有するシート状に形成され、排水ブロック８１の外周面に設けられる。発泡材８２は、独立気泡構造を有する。本実施形態においては、発泡材は、排水ブロック８１の外周面におけるアール形状の部分（側面部８１ｂ、凹部８１ｅ、ブロック曲面８１ｄ、先端面部８１ｃ、ブロック曲面８１ｄ、凹部８１ｅ、側面部８１ｂをこの順に通るブロック本体８１１の外周面）及び基端面部８１ａの見込方向の両端部に設けられている。
【００９０】
発泡材８２は、例えば、軟質のポリ塩化ビニール（ＰＶＣ）を基材の発泡体に、アクリル系粘着剤が塗布を片面に塗布した発泡シール材であり、柔軟性と独立気泡構造とを兼ね備えている。発泡材８２は、独立気泡構造を有するため、水を透過することなく、低圧縮で高いシール効果を有する。また、発泡材８２は、柔軟性を有するため、第１方立部材３１のガラス溝３１２ａの面に追従しやすく吸着しやすい。発泡材８２としては、例えば、基材の密度が０．１ｇ／ｃｍ３、全体の厚みが３．２ｍｍのサンゴバン社製のノルシール（登録商標）などを使用できる。
本実施形態においては、発泡材８２は、排水ブロック８１の外周面に、片面に塗布されたアクリル系粘着剤を介して貼り付けられる。
【００９１】
第１水膨潤性止水材８３は、厚みが薄いシート状に形成され、発泡材８２の外周面に設けられる。本実施形態においては、第１水膨潤性止水材８３は、排水ブロック８１の外周面におけるアール形状の部分（側面部８１ｂ、凹部８１ｅ、ブロック曲面８１ｄ、先端面部８１ｃ、ブロック曲面８１ｄ、凹部８１ｅ、側面部８１ｂをこの順に通るブロック本体８１１に対応する部分の外周面）及び基端面部８１ａの見込方向の両端部に対応して、発泡材８２の外周面に設けられている。本実施形態においては、第１水膨潤性止水材８３は、発泡材８２の外周面に粘着剤を介して貼り付けられる。
【００９２】
第２水膨潤性止水材８４は、厚みが薄いシート状に形成され、排水ブロック８１の上面及び下面に設けられる。本実施形態においては、第２水膨潤性止水材８４は、排水ブロック８１の上面及び下面の形状と同じ形状に形成され、排水ブロック８１の上面及び下面の全域に亘って、粘着剤を介して貼り付けられている。
【００９３】
本実施形態においては、第２水膨潤性止水材８４を排水ブロック８１の上面及び下面の両面に設けることで、上下方向に対称の構成としている。これにより、第２水膨潤性止水材８４に関して、排水ブロック８を、上下のいずれの向きでも使用することが可能である。なお、これに限定されず、第２水膨潤性止水材８４を、排水ブロック８１の上面及び下面の両面に設けずに、例えば、排水ブロック８１の上面のみに設けてもよい。
【００９４】
第１水膨潤性止水材８３及び第２水膨潤性止水材８４は、例えば、ポリオルフィンを基材として、表面に吸収層を有し、表面と反対側の面には、アクリル系の粘着層が形成されている。吸収層は、例えば、高分子吸収体（Ｓｕｐｅｒ  Ａｂｓｏｒｂｅｎｔ  Ｐｏｌｙｍｅｒ  ：ＳＡＰ）を用いて形成される。高分子吸収体は、高吸収性ポリマーとも呼ばれ、第１水膨潤性止水材８３及び第１水膨潤性止水材８３に浸入した水を吸収してゲル状に変化させて膨張させる。これにより、第１水膨潤性止水材８３及び第１水膨潤性止水材８３は、発泡材８２と第１方立部材３１のガラス溝３１２ａとの隙間を塞いで止水して、水漏れや浸水を防ぐことができる。
【００９５】
第１水膨潤性止水材８３及び第２水膨潤性止水材８４として、例えば、全体の厚みを２８０μｍとして、吸収層の厚みが５０μｍ、基材層の厚みが８０μｍ、粘着層の厚みが１５０μｍの層構造を有するものを使用できる。
【００９６】
次に、排水構造体８を第１方立部材３１のガラス溝３１２ａに取り付ける取り付け方法について説明する。
まず、図８（ａ）及び図８（ｂ）に示すように、排水ブロック８１の外周面に発泡材８２を貼り付ける。そして、発泡材８２の外周面に第１水膨潤性止水材８３を貼り付ける。そして、排水ブロック８１の上面に第２水膨潤性止水材８４を貼り付ける。
【００９７】
このように構成された排水構造体８を、図７に示すように、第１方立部材３１のガラス溝３１２ａの側方の位置において、排水ブロック８１の先端側が第１方立部材３１のガラス溝３１２ａに向くように配置する。
【００９８】
次に、排水ブロック８１を、先端側から順に、第１方立部材３１のガラス溝３１２ａに押し込んで圧入する。これにより、排水構造体８における発泡材８２が圧縮された状態で第１方立部材３１のガラス溝３１２ａに挿入される。排水構造体８は、発泡材８２が、柔軟性を有するため、弾性復帰力により第１方立部材３１のガラス溝３１２ａの形状に追従して、発泡材８２の外周面が、第１方立部材３１のガラス溝３１２ａに押圧された状態で圧入される。
【００９９】
ここで、第１方立部材３１のガラス溝３１２ａの内周面の形状は、ガラス溝３１２ａにおける見込方向の中央において見付方向に延びる縦断面である仮想平面Ｍに対して、対称の形状である。また、排水ブロック８１のブロック本体８１１の外周面の形状は、ブロック本体８１１における見込方向の中央において見付方向に延びる縦断面である仮想平面Ｍに対して、対称の形状である。
【０１００】
そのため、排水ブロック８１を第１方立部材３１のガラス溝３１２ａに圧入する際に、排水ブロック８１における見込方向の両側において圧力を均等に加わるように排水ブロック８１を圧入できるため、排水ブロック８１と第１方立部材３１のガラス溝３１２ａとの隙間をより塞ぐことができる。よって、排水ブロック８１と第１方立部材３１のガラス溝３１２ａとの間の水密性をより向上できる。
【０１０１】
また、排水ブロック８１の先端側には、一対の突起８１２，８１２が設けられている。そのため、一対の突起８１２，８１２の先端面８１２ａは、第１方立部材３１のガラス溝３１２ａの見込面３０ａに対応して配置され、第１方立部材３１のガラス溝３１２ａの見込面３０ａに当接又は近接して配置される。これにより、ブロック本体８１１が水平方向に対して傾いて配置されないように、ガラス溝３１２ａの見込面３０ａに対して位置決めされる。よって、排水構造体８は、第１方立部材３１のガラス溝３１２ａにおいて、傾かないように安定して配置される。排水ブロック８１と第１方立部材３１のガラス溝３１２ａとの間の水密性をより向上できる。
【０１０２】
次に、図６に示すように、排水構造体８及び第１方立部材３１と巾木部２２の側端面との間に止水シート７２を配置した状態で、巾木部２２の側端面を、第１方立部材３１に、取り付ける。ここで、ブロック本体８１１の上面は、図９に示すように、排水構造体８が第１方立部材３１のガラス溝３１２ａに取り付けられた状態において、巾木部２２のガラス溝２２２ａの底面（上方側を向く面）と同一平面上に位置するように配置される。
【０１０３】
この状態で、図７に示すように、第１方立部材３１における巾木部２２とは反対側から、第１方立部材３１の貫通穴３１ｂ、排水構造体８、止水シート７２、巾木部２２の順にビス７３を貫通させて、第１方立部材３１、排水構造体８、止水シート７２及び巾木部２２をビス７３で共締めする。これにより、図６に示すように、排水構造体８を、第１方立部材３１のガラス溝３１２ａ内に固定する。本実施形態においては、排水構造体８における発泡材８２及び第１水膨潤性止水材８３において、ビス７３が貫通する箇所には、それぞれ貫通穴を予め形成している。
なお、ビス７３で共締めする前に、発泡材８２や第１水膨潤性止水材８３に貫通穴が形成されていなくてもよい。すなわち、発泡材８２や第１水膨潤性止水材８３に貫通穴が形成されていない状態から、ビス７３を貫通させることで、貫通穴が形成されるように構成してもよい。
【０１０４】
このように、排水構造体８を第１方立部材３１のガラス溝３１２ａに圧入して、第１方立部材３１、排水構造体８、止水シート７２及び巾木部２２をビス７３で共締めすることで、排水構造体８を第１方立部材３１のガラス溝３１２ａに強固に取り付けることができる。また、第１水膨潤性止水材８３におけるビス７３により形成された貫通穴とビス７３との間において、第１水膨潤性止水材８３の貫通穴とビス７３との隙間がない状態で貫通されるため、水密性を確保できる。
【０１０５】
次に、第１方立部材３１のガラス溝３１２ａに浸入した水に対して、ガラス溝３１２ａに収納された排水構造体８が水密性を向上させる作用について説明する。
本実施形態においては、図２に示すように、縦枠２３，２４、方立２５のガラス溝２３２ａ、３１２ａ、３２２ａ（図３参照）には、ガラス溝２３２ａ、３１２ａ、３２２ａの上下方向に沿って、複数の排水構造体８が配置されている。そのため、縦枠２３，２４、方立２５のガラス溝２３２ａ、３１２ａ、３２２ａにおいて、水が浸入しても、ガラス溝２３２ａ、３１２ａ、３２２ａの上方から下方に向かうにしたがって排水構造体８に達する水の量は少なくなる。
【０１０６】
本実施形態においては、排水構造体８の作用について、方立２５の第１方立部材３１のガラス溝３１２ａにおける巾木部２２が取り付けられる位置の側方の位置に配置された排水構造体８に、雨水などの水が達した場合について説明する。
【０１０７】
第１方立部材３１のガラス溝３１２ａに浸入した雨水などの水は、例えば、第１方立部材３１のガラス溝３１２ａにおける巾木部２２が取り付けられる位置の側方の位置に配置される排水構造体８に受け止められる。
【０１０８】
排水構造体８において、図９に示すように、排水ブロック８１の上面には、第２水膨潤性止水材８４が設けられている。これにより、排水ブロック８１の上面に設けられる第２水膨潤性止水材８４に達した水は、排水ブロック８１の上面において、第２水膨潤性止水材８４の吸収層に吸収されてゲル状に変化して膨張する。第２水膨潤性止水材８４は、排水ブロック８１の上面においてゲル状に変化して膨張した水を、排水ブロック８１の上面において保持する。これにより、ゲル状に変化して膨張した水は、排水ブロック８１の上面を覆う。
【０１０９】
排水ブロック８１の上面において第２水膨潤性止水材８４により水が膨張して保持された状態で、更に排水構造体８に水が到達して、第２水膨潤性止水材８４で保持できる水の許容量を越えると、第２水膨潤性止水材８４で保持できなくなった水は、第１方立部材３１のガラス溝３１２ａと排水構造体８とが密着しているため、第１方立部材３１のガラス溝３１２ａと排水構造体８との間には流れにくく、水の流路が確保された巾木部２２のガラス溝２２２ａ側に流れる。巾木部２２のガラス溝２２２ａを流れた水は、巾木部２２のガラス溝２２２ａの途中に設けられた排水弁（図示せず）を介して外部に排出される。
【０１１０】
また、排水ブロック８１の外周面には、図６に示すように、発泡材８２が設けられており、発泡材８２の外周面には、第１水膨潤性止水材８３が設けられている。
【０１１１】
発泡材８２は、柔軟性と独立気泡構造とを兼ね備えており、水を透過することなく、柔軟性を有して第１方立部材３１のガラス溝３１２ａの形状に追従して押圧されている。そのため、第１方立部材３１のガラス溝３１２ａと発泡材８２との間に、上下方向に延びるピンホールのような隙間を生じさせ難い。これにより、第１方立部材３１のガラス溝３１２ａと発泡材８２との間に、水が浸入することを低減できる。
【０１１２】
また、発泡材８２の外周面に第１水膨潤性止水材８３を設けている。そのため、第１水膨潤性止水材８３に到達した水は、ゲル状に変化して膨張する。これにより、第１方立部材３１のガラス溝３１２ａと発泡材８２との間に、上下方向に延びるピンホールのような隙間を一層生じさせ難い。これにより、第１方立部材３１のガラス溝３１２ａと発泡材８２との間に、水が浸入することを低減できる。
【０１１３】
第１水膨潤性止水材８３及び第２水膨潤性止水材８４は、水の浸入後に、水の浸入がなくなると、時間経過と共に乾燥して、元の状態に戻る。具体的には、第１水膨潤性止水材８３及び第２水膨潤性止水材８４の吸収層に吸収された水は、吸収層において吸収されてゲル状になった後に、水の浸入がなくなると、徐々に蒸発する。そして、第１水膨潤性止水材８３及び第２水膨潤性止水材８４は、吸収層に吸収された水が、蒸発後に乾燥して、乾燥後には、糊状に固まり、元の状態に戻る。元の状態に戻った第１水膨潤性止水材８３及び第２水膨潤性止水材８４の吸収層は、その後に浸入した水を、前述のように再び吸収して再びゲル状に変化させて膨張させることができる。これにより、第１水膨潤性止水材８３及び第２水膨潤性止水材８４の吸収層は、水の吸収及び乾燥を繰り返して、止水機能を維持できる。
【０１１４】
以上説明したように、本実施形態によれば、以下の効果が奏される。
本実施形態の方立２５は、ガラス溝３１２ａを有する第１方立部材３１と、ガラス溝３２２ａを有する第２方立部材３２と、第１方立部材３１におけるガラス溝３１２ａの裏面と第２方立部材３２におけるガラス溝３２２ａの裏面が対向した状態で第１方立部材３１と第２方立部材３２とを嵌合して連結する嵌合部３００と、ガラス溝３１２ａの裏面とガラス溝３２２ａの裏面との間に配置され、第１方立部材３１及び第２方立部材３２の長手方向に連続して延びて形成される止水部材１０と、を備える方立２５であって、嵌合部３００は、ガラス溝３１２ａ及びガラス溝３２２ａよりも屋外側に配置される。そのため、止水部材１０により、見込方向において、第１方立部材３１におけるガラス溝３１２ａの裏面と第２方立部材３２におけるガラス溝３２２ａの裏面が対向した部分を境界にして、方立２５の内部の空間の気圧を、屋内側の気圧と屋外側の気圧とに区切ることができる。これにより、ガラス溝３１２ａ及びガラス溝３２２ａよりも屋外側に配置される嵌合部３００から、方立２５の内部に水が引き込まれることを抑制できる。よって、方立２５の水密性を向上できる。例えば、嵌合部３００にシール部材３０１が配置される場合において、嵌合部３００に配置されるシール部材３０１が破損した場合であっても、止水部材１０により、嵌合部３００から、方立２５の内部に水が引き込まれることを抑制できる。
【０１１５】
また、本実施形態においては、第１方立部材３１は、第１方立部材３１におけるガラス溝３１２ａが形成された部分に形成される第１方立側ビス孔３１２ｈを有し、第２方立部材３２は、第２方立部材３２におけるガラス溝３２２ａが形成された部分に第１方立側ビス孔３１２ｈに対向して形成される第２方立側ビス孔３２２ｇを有し、第１方立側ビス孔３１２ｈと第２方立側ビス孔３２２ｇとに挿通された状態で、止水部材１０を介して、第１方立部材３１及び第２方立部材３２を締結するビス７１を更に備える。
そのため、ビス７１により、第１方立部材３１と第２方立部材３２との間に止水部材１０を確実に挟み込むことができる。これにより、止水部材１０を、ガラス溝３１２ａの裏面とガラス溝３２２ａの裏面との間に確実に配置できるため、方立２５の水密性を向上できる。
また、ビス７１を第１方立側ビス孔３１２ｈと第２方立側ビス孔３２２ｇとに挿通された状態で第１方立部材３１及び第２方立部材３２を締結する構成において、ガラス溝３１２ａ又はガラス溝３２２ａに水が浸入したとしても、止水部材１０を挟み込んでビス止めしているため、第１方立側ビス孔３１２ｈ又は第２方立側ビス孔３２２ｇから、方立２５の内部側に水が引き込まれることを防止できる。
【０１１６】
また、本実施形態においては、第１方立部材３１におけるガラス溝３１２ａの裏面と第２方立部材３２におけるガラス溝３２２ａの裏面との間の空間を、止水部材１０が収容される収容空間として区画する区画部１００を備える。これにより、止水部材１０を区画部１００に配置することで、第１方立部材３１におけるガラス溝３１２ａの裏面と第２方立部材３２におけるガラス溝３２２ａの裏面との間に、止水部材１０を容易に安定して配置できる。よって、止水部材１０を取り付ける際の施工性を向上できる。また、止水部材１０を区画部１００に安定して保持させることができる。特に、止水部材１０が弾性部材で構成される場合には、止水部材１０を潰した状態で区画部１００の内部に配置して弾性復帰力で区画部１００に保持されるように構成することで、区画部１００に止水部材１０が圧縮された状態で、止水部材１０を一層安定して保持させることができる。
【０１１７】
以上、本発明の方立の好ましい一実施形態について説明したが、本発明は、上述の実施形態に制限されるものではなく、適宜変更が可能である。
例えば、前記実施形態では、サッシユニット１を、例えば、店舗等の建築物に用いるものとしたが、これに限定されない。一般的な住宅等の建築物に用いるものであってもよい。
【０１１８】
前記実施形態では、ＦＩＸ窓６１，６２を備えるサッシユニット１を例に説明したが、これに限定されない。例えば、障子を備える可動式の窓を備える建具であってもよい。
【符号の説明】
【０１１９】
１０  止水部材
２５  方立
３１  第１方立部材（一方側縦材）
３２  第２方立部材（他方側縦材）
７１  ビス（ビス部材）
１００  区画部
３００  嵌合部
３１２ａ  ガラス溝（一方側ガラス溝）
３２２ａ  ガラス溝（他方側ガラス溝）
３１２ｈ  第１方立側ビス孔（一方側ビス孔）
３２２ｇ  第２方立側ビス孔（他方側ビス孔）
【図１】
2018135674.tif 000003
【図２】
2018135674.tif 000004
【図３】
2018135674.tif 000005
【図４】
2018135674.tif 000006
【図５】
2018135674.tif 000007
【図６】
2018135674.tif 000008
【図７】
2018135674.tif 000009
【図８】
2018135674.tif 000010
【図９】
2018135674.tif 000011
【図１０】
2018135674.tif 000012